(57)【要約】  本発明は、光学システム（１）に関し、当該光学システム（１）は、ディスク形のレーザ活性媒質（２）と、レーザビーム（５）を偏向するための鏡面が形成されているミラー要素（６）、及び、基体（７）を備えた偏向装置（３）とを備えており、基体（７）にミラー要素（６）が取り付けられており、ミラー要素（６）の鏡面（Ｆ２，Ｆ３，Ｆ４，Ｆ５・・・）の向きは、各鏡面（Ｆ３；Ｆ５・・・）からディスク形のレーザ活性媒質（２）を介して他の鏡面（Ｆ４；Ｆ６・・・）へレーザビーム（５）を偏向する向きになっている。ミラー要素（６）は、一体に構成されており、又は、モノリシックに接合されており、ミラー要素（６）は、有利には中心軸（１１）に対して回転対称的に構成された結合部分（１２）を有し、結合部分（１２）は、素材結合又は直接結合によって基体（７）に固定的に結合されている。
2019523555.tif 000002
【特許請求の範囲】
【請求項１】
光学システム（１）であって、
ディスク形のレーザ活性媒質（２）と、
レーザビーム（５）を偏向するための鏡面（Ｆ；Ｆ２，Ｆ３，Ｆ４，Ｆ５・・・）が形成されている複数のミラー要素（６）、及び、基体（７）を備えた偏向装置（３）と、
を備えており、
前記基体（７）に前記ミラー要素（６）が取り付けられており、
前記ミラー要素（６）の前記鏡面（Ｆ２，Ｆ３，Ｆ４，Ｆ５・・・）は、前記レーザビーム（５）を各鏡面（Ｆ３；Ｆ５・・・）から前記ディスク形のレーザ活性媒質（２）を介して他の鏡面（Ｆ４；Ｆ６・・・）へ偏向する向きにされている、光学システム（１）において、
前記ミラー要素（６）は、一体に構成されており、又は、モノリシックに接合されており、
前記ミラー要素（６）は、有利には中心軸（１１）に対して回転対称的に構成された結合部分（１２）を有し、
前記結合部分（１２）は、素材結合又は直接結合によって前記基体（７）に固定的に結合されている、
ことを特徴とする光学システム（１）。
【請求項２】
前記ミラー要素（６）の平坦な前記鏡面（Ｆ；Ｆ２，Ｆ３・・・）の向きは、前記結合部分（１２）の中心軸（１１）に対して３０°乃至６０°の間の角度（α）である、
請求項１記載の光学システム。
【請求項３】
第１のミラー要素（６）では前記鏡面（Ｆ）は、前記結合部分（１２）の中心軸（１１）に対して第１の角度（α１）の向きであり、第２のミラー要素（６）では前記鏡面（Ｆ）は、前記結合部分（１２）の中心軸（１１）に対して、前記第１の角度とは異なる第２の角度（α２）の向きである、
請求項１又は２記載の光学システム。
【請求項４】
前記基体（７）に凹部（１６）が形成されており、
前記凹部（１６）はそれぞれ、各ミラー要素（６）の前記結合部分（１２）に素材結合又は直接結合するための周面（１５）を有する、
請求項１から３までのいずれか１項記載の光学システム。
【請求項５】
前記凹部（１６）は、前記基体（７）の貫通孔である、
請求項４記載の光学システム。
【請求項６】
前記凹部（１６）の周面（１５）は、当該周面（１５）の各中心軸（１７）に対して回転対称的に構成されている、
請求項４又は５記載の光学システム。
【請求項７】
前記凹部（１６）の周面（１５）は、球面、円錐面又は自由形状面を成す、
請求項４から６までのいずれか１項記載の光学システム。
【請求項８】
少なくとも１つのミラー要素（６）の前記結合部分（１２）の中心軸（１１）は、前記周面（１５）の中心軸（１７）に対して傾角（βｘ）の向きである、
請求項６又は７記載の光学システム。
【請求項９】
前記結合部分は、球セグメント（１２）によって構成されており、
前記球セグメント（１２）は、当該球セグメント（１２）の球屋根（１４）で、前記基体（７）の凹部（１６）の周面（１５）に素材結合又は直接結合している、
請求項４から８までのいずれか１項記載の光学システム。
【請求項１０】
前記ミラー要素（６）は、前記球セグメント（１２）に接続する、有利には円柱形の区間（１３）を有し、
前記区間（１３）に前記鏡面（Ｆ；Ｆ２，Ｆ３・・・）が形成されている、
請求項９記載の光学システム。
【請求項１１】
前記球セグメント（１２）は、中心点（Ｍ）が前記ミラー要素（６）の鏡面（Ｆ；Ｆ２，Ｆ３・・・）上にある曲率半径（Ｒ）を有する、
請求項９又は１０記載の光学システム。
【請求項１２】
前記ミラー要素（６）の結合部分（１２）は、円柱形であり、有利には平坦な底面（２２）を有する、
請求項１から７までのいずれか１項記載の光学システム。
【請求項１３】
前記複数のミラー要素（６）は、前記基体（７）上に、複数の円環形（Ｒ１，Ｒ２，Ｒ３）に、又は、複数の正多角形（Ｓ１，Ｓ２，Ｓ３）に配置されている、
請求項１から１２までのいずれか１項記載の光学システム。
【請求項１４】
前記ミラー要素（６）のうち半分より多くのミラー要素（６）において、各２つの有利には隣り合ったミラー要素（６）の鏡面（Ｆ２，Ｆ３；Ｆ４，Ｆ５・・・）間の直接的な偏向は、１つの共通の偏向方向（Ｙ）に行われる、
請求項１から１３までのいずれか１項記載の光学システム。
【請求項１５】
前記光学システムは、さらにエンドミラー（９）を備えており、
前記エンドミラー（９）の鏡面（Ｆ３６）の向きは、前記レーザビーム（５）を前記ディスク形のレーザ活性媒質（２）へ反射し戻すために、当該エンドミラー（９）の鏡面（Ｆ３６）に入射する前記レーザビーム（５）に対して垂直である、
請求項１から１４までのいずれか１項記載の光学システム。
【請求項１６】
前記偏向装置（３）の前記基体（７）は、少なくとも８０重量％が前記ミラー要素（６）の材料と一致する材料から構成されている、
請求項１から１５までのいずれか１項記載の光学システム。
【請求項１７】
前記基体（７）及び／又は前記ミラー要素（６）は、ガラス、有利には石英ガラス、ガラスセラミック又は金属材料から、有利には合金から構成されている、
請求項１から１６までのいずれか１項記載の光学システム。
【請求項１８】
前記素材結合は、接着接合及び／又ははんだ接合により形成され、又は、
前記直接結合は、溶接接合及び／又はボンディング接合により形成されている、
請求項１から１７までのいずれか１項記載の光学システム。
【発明の詳細な説明】
【技術分野】
【０００１】
本発明は、光学システム、たとえば光学増幅システム等、特に（線形）ディスクレーザ増幅器に関し、当該光学システムは、ディスク形のレーザ活性媒質と、レーザビームを偏向するための鏡面が形成されている複数のミラー要素を備えた偏向装置と、ミラー要素が固定されている基体とを備えており、ミラー要素の鏡面の向きは、各鏡面からディスク形のレーザ活性媒質を介して他の鏡面へレーザビームを偏向する向きになっている。よって、ミラー要素は、各自の鏡面間でディスク形のレーザ活性媒質を介してレーザビームを偏向する対で配置されている。
【背景技術】
【０００２】
A. Antognini et al. の論文“Thin-Disk Yb:YAG Oscillator-Amplifier Laser, ASE, and Effective Yb:YAG Lifetime”（IEEE Journal of Quantum Electronics, Vol. 45, No. 5，２００９年８月）に、マルチパスディスクレーザ増幅器が記載されており、このマルチパスディスクレーザ増幅器においては、レーザビームをレーザディスクへ偏向するために、２４個の平面ミラーから成るアレイが使用される。これらのミラーは１つの共通の基板上に配置されており、レーザビームがレーザディスク内を通過する毎にレーザビームのビーム推移を個別に適合するため、どの各ミラーの向きも個別に変化させることができる。J. Tuemmler et al. による論文“High-repetition-rate chirped-pulse-amplification thin-disk laser system with joule-level pulse energy”（Optics Letters, Vol. 34, No. 9，２００９年５月１日）にもマルチパス増幅器が記載されており、このマルチパス増幅器においては、レーザビームを偏向するために７×４個のミラーのアレイが使用され、これらのミラーも１つの共通の基板上に配置されており、個別にアライメントすることができる。
【０００３】
米国特許第７４６３６６７号明細書（US 7,463,667 B2）から、固体レーザ増幅材料モジュール（ＬＧＭモジュール）とマルチパス共振器とを備えたレーザシステムが公知となっており、このマルチパス共振器は、それぞれ第１のミラーと第２のミラーとを含むリレーミラーの複数の対を有する。レーザビームは、ＬＧＭモジュールの同一場所とリレーミラーの複数の各対との間で往復反射される。ＬＧＭモジュールと共振器とは１つの共振器筐体内に収容されており、複数のミラーは保持システムに保持されており、この保持システムは、レーザビームが正確にミラー対とＬＧＭモジュールとの間で往復反射されるように、ミラーの相互間の相対的な向き及び位置決めと、ＬＧＭモジュールに対する相対的な向き及び位置決めとを維持する。
【０００４】
ディスクレーザ増幅器又はディスクレーザの形態の光学増幅システムは、厚さが薄いディスク形のレーザ活性媒質（レーザディスク）を備えている。線形ディスクレーザ増幅器の形態、すなわち、たとえば再生増幅器のように共振器を介しての帰還が行われないレーザ増幅器の形態のかかる光学システムにおいては、レーザビームをより高いパワーに増幅しなければならず、パルス放射の場合には、より高いパルスエネルギーに増幅しなければならない。レーザディスクを通過する際の比較的低い増幅率は、典型的には、レーザディスクを多数回通過する必要がある。このような多数回の通過は、しばしば、比較的長い光路によって実現されることが多い。線形ディスク増幅器は、高出力領域及び短パルス領域乃至超短パルス領域においてスケーリングするために特に適している。というのも、ディスクレーザ増幅器全体におけるビーム径が大きいことにより、低い強度と非線形性とを達成することができ、かつ、光学収差をごく僅かにすることができるからである。しかし、レーザディスクの複数回通過を実現するための光路が長く、光学部品の数が比較的多いので、ディスクレーザ増幅器の形態の光学増幅システムはアライメント誤差の影響を受けやすい。
【０００５】
米国特許第７８１７７０４号明細書（US 7,817,704 B2）にはモノブロックレーザが記載されており、このモノブロックレーザは、自己の軸に沿って延在する載置部を有し、この載置部に、当該軸まわりに回転可能であるアライメント可能な部品が載置される。このアライメント可能な部品は、Ｖブロックとして構成された載置部に回転可能に取り付けることができる。これに代えて、たとえばミラーの形態のアライメント可能な部品は、球面形状の底部を有することができ、載置部の基板は、このアライメント可能な部品を受けるための球面形状の凹部を有することができる。
【０００６】
欧州特許出願公開第２８１６３８６号明細書（EP 2 816 386 A1）から、少なくとも１つの保持部品を介して基体に接着された光学部品を備えている光学系システムが公知となっており、この光学部品は、光学部品側で湾曲している接合側及び／又は保持部品側で湾曲している接合側を介して、接触線に沿って互いに直接接触しており、接触線の隣において両接合側間に存在する少なくとも１つの継目に入れられる接着剤を用いて接着される。
【０００７】
国際公開第２０１２／０１３５１２号（WO 2012/013512 A1）に、基板を備えた光学系システムが記載されており、この光学系システムは、載置領域を有する壁を備えた凹部と、光学部品を保持する光学系ホルダとを備えており、光学系ホルダは、接触領域を含む下面を有する。光学系ホルダの下面と凹部の底部との間に空洞が形成されており、この空洞内に、光学系ホルダを固定するために供される硬化可能な接着剤が充填されている。
【０００８】
追加的にはんだ付け又はスポット溶接乃至スポットレーザ溶接を行うことにより、光学系ホルダの固定の改善を実現することができる。
【先行技術文献】
【特許文献】
【０００９】
【特許文献１】米国特許第７４６３６６７号明細書
【特許文献２】米国特許第７８１７７０４号明細書
【特許文献３】欧州特許出願公開第２８１６３８６号明細書
【特許文献４】国際公開第２０１２／０１３５１２号
【非特許文献】
【００１０】
【非特許文献１】A. Antognini et al. の論文“Thin-Disk Yb:YAG Oscillator-Amplifier Laser, ASE, and Effective Yb:YAG Lifetime”（IEEE Journal of Quantum Electronics, Vol. 45, No. 5，２００９年８月）
【非特許文献２】J. Tuemmler et al. による論文“High-repetition-rate chirped-pulse-amplification thin-disk laser system with joule-level pulse energy”（Optics Letters, Vol. 34, No. 9，２００９年５月１日）
【発明の概要】
【発明が解決しようとする課題】
【００１１】
本発明の課題
本発明の基礎となる課題は、アライメント誤差に係るリスクが小さい光学システム、特に（線形）ディスクレーザ増幅器の形態の光学システムを実現することである。
【課題を解決するための手段】
【００１２】
本発明の対象
前記課題は、本発明においては、冒頭に述べた分野の光学システム、たとえば光学増幅システムの形態等、特にディスクレーザ増幅器の形態の光学システムであって、複数のミラー要素が一体に構成され、又はモノリシックに接合されており、有利には中心軸に対して回転対称的に構成された結合部分を有し、結合部分は素材結合又は直接結合によって基体に固定的すなわち永久的に結合されている、光学システムによって解決される。
【００１３】
「モノリシックに接合されたミラー要素」とは、本願においては、複数の部品から構成されているミラー要素であって、当該複数の部品が互いに固定的かつ永久的に結合しており、ミラー要素の部品間の結合も素材結合又は直接結合によって行われているミラー要素をいう。
【００１４】
典型的には複数のミラー要素は、調整可能な揺動板を備えたミラーホルダに保持される。これによって、各ミラー要素の向き、具体的にいうと鏡面の向きを、たとえば約１０μｒａｄ前後の精度で高精度に調整することができる。しかし、上記にて引用した２つの論文のような、ディスクマルチパス増幅器を実現するために使用することができる、複数の上述のミラーホルダを備えた偏向装置は、多数のアライメント自由度を提供し、これは著しいアライメント誤差及び取付リスクを伴う。
【００１５】
本発明においては、かかるリスクは、複数のミラー要素をたとえば基板の形態等の基体に固定的すなわち永久的に結合することによって最小になる。このような永久的な結合により、アライメント誤差自由度を最小限に低下することができ、光学システムの動作中のアライメント誤差を実用上排除することができる。アライメント誤差自由度を最小にするためには、素材結合的な接合技術によって、たとえば接着、はんだ付け又は溶接等によって、又は直接的な永久結合によって、たとえばボンディング又はガラス溶接等によって、ミラー要素を基体に固定し、又は、これに結合する。さらに、ミラー要素は一体に構成されており、又はモノリシックに接合されている。ミラー要素、具体的にいうとミラー要素の鏡面は、典型的には、約１０μｒａｄの精度で基体に長期間安定的に取り付けなければならず、又は、基体に対する相対的な向きを調整しなければならない。基体は有利には一体に構成されるが、場合によっては基体もモノリシックに接合することができることもある。
【００１６】
一実施形態においては、ミラー要素の（平坦な）鏡面の向きは、結合部分の中心軸に対して３０°乃至６０°の間の角度、有利には３５°乃至５５°の間の角度、特に４０°乃至５０°の間の角度である。偏向装置のミラー要素の鏡面の法線方向は、それぞれ他の鏡面へ直接偏向を行えるように、かつ、レーザディスクの典型的には中央にレーザビームが当たるように選択しなければならない。こうするためには、各ミラー要素を基体に取り付ける際に、各結合部分の中心軸の向きを（プレート形の）基体に対して適切な角度にすることができる。特に、こうするためには、複数の異なるミラー要素の結合部分の中心軸を、基体を基準としてそれぞれ異なる向きにすることができる。かかる場合、偏向装置において必要なミラー要素の種類が一種類のみとなり、これによって偏向装置の製造が簡素化するように、偏向装置の円環形（下記参照）に配置された全てのミラー要素を、結合部分の中心軸に対して同一の角度の向きにすることができる場合がある。かかる場合、各結合部分に対する法線方向の（画一的な）角度は、典型的には４５°付近である。というのも、厳密に４５°での偏向は典型的には、基体の中心軸が通過する当該基体の中心でしか行えないからである。
【００１７】
他の一実施形態においては、第１のミラー要素では鏡面は、結合部分の中心軸に対して第１の角度の向きにされており、第２のミラー要素では鏡面は、結合部分の中心軸に対して、第１の角度とは異なる第２の角度の向きにされている。かかる場合、偏向装置においてミラー要素の２つ以上の異なる角度、通常は多数、たとえば１０以上の異なる角度が使用され、ひいては１０以上の異なる種類のミラー要素が使用され、異なるミラー要素の鏡面の向きの間の偏差は、典型的には比較的小さく、この偏差は典型的には、４５°の角度から１０°未満、有利には５°未満偏差する。もちろん、複数の異なる種類のミラー要素を使用する他にさらに、基体を基準とする各結合部分の中心軸の向きも変えることができる。
【００１８】
他の一実施形態においては、基体に凹部が形成されており、この凹部はそれぞれ、各ミラー要素の結合部分に素材結合又は直接結合するための周面を有する。本実施形態においては、ミラー要素、具体的にいうとその結合部分は、各凹部の周面に点接触、線接触、又は場合によっては面接触するように、凹部に入れられる。凹部は、基板の形態の基体に、実質的に一定の厚さで形成することができる。また、凹部を基体の隆起部乃至肉厚部に形成することもできる。すなわち、必ずしも、凹部がたとえば基板の形態等の基体の他の部分より凹んでいることを要しない。
【００１９】
一改良形態においては、凹部は基体の貫通孔である。これは、各ミラー要素の取付中乃至アライメント中に各凹部の周面と結合部分との間の結合部を作製するときに好適である。たとえば素材結合の場合には、たとえば接着剤等の接合材を、基体の、各結合部分とは反対側の下面から、周面と各結合部分の表面との間に挿入することができる。ここには、基体の上面からよりも下面からの方が容易に接近することができる。
【００２０】
他の一実施形態においては、凹部の周面は周面の各中心軸に対して回転対称的に構成されている。かかる場合、典型的には、各ミラー要素を素材結合又は直接結合によって凹部内の各ミラー要素の位置に固定する前に、各ミラー要素を凹部内において回転させることにより、基体に対する各ミラー要素の相対的な向きを変えることができる。
【００２１】
一改良形態においては、凹部の周面は球面、円錐面又は自由形状面を成す。ミラー要素の結合部分が、径方向に研磨乃至ポリッシュされた表面を有する場合、この表面を、球面、円錐面又は自由形状面の形態の周面、たとえばアキシコンの形態の周面等と、線接触乃至円接触させることができる。かかる場合、ミラー要素を周面に沿って並進乃至回転させることにより、ミラー要素を３つの角度でアライメントすることができる。すなわち、ミラー要素を基体に固定的に結合する前に、凹部の周面の中心軸を基準とするミラー要素の１つの回転角及び結合部分の中心軸とミラー要素の中心軸との間の２つの傾角の双方を調整することができる。
【００２２】
一改良形態においては、少なくとも１つのミラー要素の結合部分の中心軸は、周面の中心軸に対して傾角の向きである。上記にて記載しているように、このようにして、基体に対する各ミラー要素の鏡面の相対的な向きを変化することができ、これによって、レーザ活性媒質に対する各ミラー要素の鏡面の相対的な向きも変化することができる。このことによって、典型的には、結合部分の中心軸と鏡面との角度がそれぞれ異なるミラー要素の数を削減することができる。各ミラー要素の傾角は、特に、各鏡面から基体の中心軸までの径方向の距離に依存し、基体の中心軸上には、基体から離隔しているディスク形のレーザ活性媒質も配置されている。通常、凹部の周面の中心軸の向きは、通常はプレート形の基体の中心軸に対して平行又は実質的に平行である。場合によっては、凹部乃至その中心軸を、プレート形の基体の中心軸に対して（場合によっては著しく大きい）角度を成して、斜めに乃至傾斜することができることもある。
【００２３】
一改良形態においては、結合部分は球セグメントによって構成されており、球セグメントは当該球セグメントの球屋根で、すなわち当該球セグメントの球面の曲面で、基体の凹部の周面に素材結合又は直接結合している。球形の結合部分を使用することは有利であることが判明している。というのも、かかる結合部分は凹部内におけるミラー要素のアライメント乃至向き調整を大きく簡素化し、周面が適切に回転対称的に構成されている場合、線接触乃至円接触を達成することができるからである。
【００２４】
他の一実施形態においては、ミラー要素は、球セグメントに接続する、有利には円柱形の区間を有し、この円柱形の区間に鏡面が形成されている。この円柱形の区間の（平坦な）鏡面は、たとえばエンドミラーの場合、円柱軸に対して垂直の向きであり、かつ、円形の幾何形状を有することができるが、通常は、鏡面の向きは円柱軸に対して約４５°付近の角度であるから、楕円形の幾何形状を有する。鏡面乃至鏡面の縁部は、結合部分に直接接続することができるが、結合部分と鏡面との間に中心軸の方向に、通常は円柱形の中間区間が延在し、この中間区間に、鏡面を有するプリズムの円柱形区間が接続することも可能である。ミラー要素がモノリシックに接合されている場合、その接合箇所乃至接合面は典型的には、各区間間の移行部に、たとえば、（たとえば球形の）結合部分と、鏡面が形成されている円柱形区間との間の移行部に位置する。
【００２５】
他の一実施形態においては、結合部分の球セグメントは、中心点がミラー要素の鏡面上にある曲率半径を有し、しかも、この曲率半径の中心点は典型的には鏡面の中央にあり、典型的にはこの鏡面の中央に、当該鏡面を通過する結合部分の中心軸が当たる。そうである場合、すなわち、球セグメントの半径が鏡面高さと一致する場合には、横方向オフセットの無いミラー要素のアライメントが可能になる。すなわち、かかる場合において結合部分の中心軸と凹部の中心軸との間の傾角が変化する場合、鏡面の中心点の横方向オフセットは生じない。
【００２６】
代替的な一実施形態においては、ミラー要素の結合部分は円柱形であり、有利には平坦な底面を有する。かかる場合、円柱形の結合部分はたとえば、基体の同様に円柱形の凹部に入れることができ、この凹部は、平坦な底面を載置するための段部を有する。このようにして、鏡面の高さ乃至鏡面から基体までの距離が決定され、また、傾角がアライメントの際に通常は変化することもなくなる。というのも、結合部分の中心軸の向きは典型的には、円柱形の凹部の中心軸に対して平行であるからである。凹部の中心軸に対する鏡面の向きだけが、ミラー要素の中心軸まわりの当該ミラー要素の回転によって調整することができる。
【００２７】
基体の凹部を使用する代わりに、結合部分の平坦な底面を基体のたとえば平坦な表面上に載置することができ、たとえば円形の開口を有するステンシルを用いて、中心軸に対する鏡面の回転角を定めるために、ミラー要素が当該ミラー要素の中心軸まわりにしか回転することができなくなるように、基体の表面上にミラー要素の位置を固定することができる。かかる場合には、ミラー要素を基体の表面と接触させる前に、たとえば接着剤等の接合材を基体の表面上のステンシルの開口の領域に付着することができ、接合材が未だ硬化しない間は、中心軸まわりの回転によるアライメントを行うことができる。代替的又は追加的に、アライメントの後にミラー要素の固定を、たとえばはんだ付け又は（ガラス）溶接によって行うこともできる。上記にて記載されているように、円柱形の結合部分を有するミラー要素を使用する場合、傾角の変化が不可能になるので、通常は光学システムにおいて、鏡面と結合部分の中心軸との間の角度がそれぞれ異なる、複数の異なる種類のミラー要素を使用する必要がある。
【００２８】
他の一実施形態においては、複数のミラー要素は基体上に当該基体の中心軸まわりに同心で複数の円環形又は複数の正多角形に、たとえば複数の正六角形に配置され、典型的には、基体の中心軸上にはディスク形のレーザ活性媒質の中心も位置する。ミラー要素を可能な限り均等乃至規則的に配置することにより、使用するミラー要素の異なる種類の数を少数のみとすることができる。
【００２９】
典型的には、各２つのミラー要素の鏡面間で直接的な偏向が行われる。すなわち、両ミラー要素の鏡面間の光路には他の光学部品が配置されていない。各２つの、特に隣り合ったミラー要素間で（それぞれ実質的に約２×９０°で）直接的に偏向することにより、偏向に必要とされるミラー要素の数が少なくなり、また、このことにより光路の複雑性も低減することができる。相互間で直接的な偏向が行われるミラー要素は、典型的には隣り合って配置されており、同一の円環形乃至同一の多角形にあり、又は典型的には隣り合う円環形乃至多角形にあることができる。２つのそれぞれ隣り合ったミラー要素間の直接的な偏向は、ミラー要素のうち半分より多くのミラー要素において、それぞれ実質的に周方向に行うことができる。すなわち、回転パターンで行うことができる。かかる回転パターンでの偏向は通常、非点収差が生じた場合にこれを補正するために好適である。
【００３０】
他の一実施形態においては、ミラー要素のうち半分より多くのミラー要素において、各２つの有利には隣り合ったミラー要素の鏡面間の直接的な偏向は、１つの共通（すなわち同一）の偏向方向に行われる。ミラー要素の総数の半分より多くのミラー要素においてレーザビームをそれぞれ平行に偏向するかかる偏向は、１つの空間方向において熱に起因して生じるレーザビームのアライメント誤差に関して有利な影響を及ぼす。ここで記載されている実施形態においては、ミラー要素を複数の正多角形に配置すること、たとえば複数の正六角形に配置することは、通常は、特に有利である。というのも、かかる場合、多角形の一辺に相当する１つの共通の線に沿って複数の鏡面が配置されるからである。
【００３１】
典型的には異なる入射角で入射される複数の鏡面において上述のように直接的な９０°偏向がなされる場合、通常は、反射コーティングの偏光特性が入射角に依存することにより、レーザビームの偏光状態が変化する。レーザビームの偏光状態の変化の補償はたとえば、位相補償を行う特殊な鏡面乃至反射コーティングによって、又はたとえば１／４波長板及び／又は１／８波長板等の位相シフトを行う複数の光学部品の適切な組み合わせによって行うことができ、これらはレーザビームの光路上に配置されて光学システムの一部を構成する。
【００３２】
他の一実施形態においては、光学システム、通常では偏向装置は、エンドミラーを備えており、エンドミラーの鏡面の向きは、レーザビームをディスク形のレーザ活性媒質へ反射し戻すために、当該エンドミラーの鏡面に入射するレーザビームに対して垂直にされている。かかるエンドミラーを使用することにより、レーザビームは２回目に逆方向で偏向装置を通過することができ、これによって、ディスク形のレーザ活性媒質の通過回数が２倍になる。こうするために、エンドミラーの鏡面の向きは、入射する（そして反射される）レーザビームに対して垂直にされている。
【００３３】
もちろん、偏向装置乃至光学システムは、必ずしもエンドミラーを要するとは限らない。たとえば、このことは典型的には、たとえばシードレーザビームの入力パワーが既に比較的大きいために高い増幅率を必要としない場合に当てはまる。かかる場合、レーザビームはたとえば基体の貫通口を通過して、又は他の態様で、光学システムから出射することができ、偏向装置を２回通過しない。光学システムへのレーザビームの入射も、基体の貫通口を通過して、又は場合によっては適切な偏向要素によって行うことができる。
【００３４】
有利には、偏向装置の基体は、少なくとも８０重量％がミラー要素の材料と一致する材料から構成されている。かかる場合、典型的には、使用される両材料の熱膨張係数は十分に類似する。化学組成が少なくとも８０重量％一致する両材料は、たとえば（通常の）石英ガラス及びドープされた石英ガラス、たとえばチタンドープされた石英ガラス（ＵＬＥ（登録商標））とすることができ、これは通常、約２０重量％未満の割合のＴｉＯ２を含む。
【００３５】
他の一実施形態においては、基体及び／又はミラー要素はガラス、有利には石英ガラス、ガラスセラミック又は金属材料から、有利には合金から構成されている。基体及び／又はミラー要素が、レーザ光に対して（実質的に）透過性である材料から構成されると、好適であることが判明している。というのもこれにより、ミラー要素によってたとえば散乱光等の形態の漏れ光が発生した場合に、これによってアライメント上重要な部品において加熱が生じることがないからである。ガラスとしては、たとえばホウケイ酸クラウンガラス（ＢＫ７）又は石英ガラスを使用することができ、ガラスセラミックとしてはたとえばZerodur（ゼロジュア、登録商標）を使用することができる。Zerodur（登録商標）及びＵＬＥ（登録商標）は双方とも、比較的広い温度領域にわたって、特に低い熱膨張係数を示し、これは本願において有利であることが判明している。金属材料、特に、いわゆるインバー現象が生じる特定の合金（インバー合金）も、非常に低い熱膨張係数を示す。かかるインバー合金の一例は、約３６％の割合のニッケルを含む鉄‐ニッケル合金である。
【００３６】
有利には、偏向装置の基体及びミラー要素は、熱膨張係数（長さ膨張係数）が実質的に等しい大きさである材料から構成されている。両熱膨張係数の差は、たとえば２×１０−６ １／Ｋ未満とすることができ、しかも、本発明に関連する約−３０℃乃至約２００℃の間の温度領域全体にわたってかかる値とすることができる。光学システムの動作中にレーザ光による加熱時にミラー要素と偏向装置の基体との間に応力が生じるのを回避するため、全ての支持構成要素、具体的に、典型的には基体と、通常はミラー要素とが、十分に類似する熱膨張係数、理想的には等しい熱膨張係数を有する材料から作製されている。
【００３７】
他の一実施形態においては、素材結合は接着接合及び／又ははんだ接合により形成され、又は直接結合は溶接接合及び／又はボンディング接合により形成されている。ミラー要素と基体とのモノリシック接合、具体的にいうとミラー要素の結合部分と基体とのモノリシック接合を行うためには、複数の手段が存在する。たとえば、素材結合は接合材を用いて、たとえば接着剤を用いて行うことができる。これに代えて、又はこれと共に、（ガラス）はんだの形態の接合材を用いてはんだ接合を行うこともできる。代替的に、各ミラー要素と基体との間の直接結合を、たとえばガラス溶接法によって行うこともできる。直接結合は、典型的にはシリコンを含む、結合される両材料の結合される各表面を、両者間に永久接合部が形成される程度に加熱する、いわゆる（直接）ボンディング法によって行うこともできる。金属材料とガラス材料との間にも、永久結合部、たとえば素材結合部を形成することもできるが、たとえば溶接接合等の直接結合も可能である。
【００３８】
ここで記載されている直接結合技術の場合、これらが高い表面品質を有すると好適である。高い表面品質は、たとえば各部品の材料を研磨又はポリッシュすることによって達成することができる。高い表面品質はたとえば、各部品を所要の精度で相互に移動できるようにするために好適である。しかし、表面品質が過度に高いと部品間に付着が生じることがあり、これによって、部品相互の移動が困難になる。よって、表面品質の選択の際には妥協線を見出すことが必要となる。
【００３９】
明細書及び図面から、本発明の他の利点が明らかである。また、上記構成及びさらに詳細に記載する構成は、それ自体で単独で、又は複数で任意の組み合わせで使用することも可能である。図示及び記載された実施形態は限定列挙と解すべきものではなく、むしろ、本発明を説明するための例示的な性質を有するものである。
【図面の簡単な説明】
【００４０】
【図１】レーザディスクと、複数のミラー要素を有する偏向装置とを備えた、一実施例のディスクレーザ増幅器の概略図である。
【図２】３つの円環形乃至３つの六角形に配置されたミラー要素の鏡面の概略的な平面図である。
【図３ａ】偏向ミラーの形態のミラー要素の概略図である。
【図３ｂ】エンドミラーの形態のミラー要素の概略図である。
【図３ｃ】エンドミラーの形態のミラー要素の概略図である。
【図４】円錐面、球面及び自由形状面の形態の周面を有する、偏向装置の基体の凹部の概略図である。
【図５】基体の貫通孔である凹部によるミラー要素のアライメント乃至固定の概略図である。
【図６】基体の平坦な底面に固定され、乃至、基体の円柱形の凹部に受容されている円柱形の結合部分を有するミラー要素の概略図である。
【００４１】
以下の図面の説明において、同一の、又は、同一機能の構成部分には、同一の符号を使用している。
【発明を実施するための形態】
【００４２】
図１は、（線形）ディスクレーザ増幅器１の形態の光学システム、具体的にいうと光学増幅システムの一例を示しており、このディスクレーザ増幅器１は、ディスク形のレーザ活性媒質（以下「レーザディスク２」という）と偏向装置３とを備えている。レーザディスク２はヒートシンク４に固定されており、当該レーザディスク２をレーザビーム５が複数回通過して増幅されるように、偏向装置３からレーザディスク２に入射した増幅すべきレーザビーム５を、当該偏向装置３へ反射し戻すため、レーザディスク２のヒートシンク４側の面は鏡面加工されている。
【００４３】
レーザディスク２を上述のように複数回通過することができるようにするため、レーザビーム５を、偏向装置３に形成された偏向ミラーの形態のミラー要素６によって、具体的にいうとミラー要素６の鏡面Ｆ２乃至Ｆ３５（図２ａ，図２ｂ参照）において偏向する。ミラー要素６は、下記にて詳細に説明するように、モノリシック構造技術を用いて偏向装置３のプレート形の基体７に取り付けられている。もちろん、偏向装置３が有するミラー要素６の数をより多く又はより少なくすることもできる。プレート形の基体７の向きは、図示の実施例においては、ＸＹＺ座標系のＸＹ平面に対して平行、かつ、レーザディスク２に対して平行である。しかし、もちろん、ミラー要素６の向きが適切である場合、プレート形の基体７を、場合によってはＸＹ平面に対して（小さい）角度を成す向きとすることもできることがある。
【００４４】
図２ａ，図２ｂにおいて分かるように、図示されていないレーザ光源によって生成されたレーザビーム５は、たとえば貫通口８を介してプレート形の基体７を通過し、ここでは、レーザビーム５がレーザディスク２の中央に入射して、当該レーザディスク２において、具体的にいうと当該レーザディスク２の鏡面加工された裏面において第２の鏡面Ｆ２へ反射されるように、レーザビーム５の向きが調整されている。レーザディスク２から出射したレーザビーム５は、第２の鏡面Ｆ２において、隣り合った第３の鏡面Ｆ３へ直接偏向乃至反射される。第３の鏡面Ｆ３のレーザディスク２を基準とする向きは、レーザビーム５が第３の鏡面Ｆ３によって再びレーザディスク２へ偏向乃至反射される向きにされている。レーザディスク２においてレーザビーム５は第４の鏡面Ｆ４へ偏向され、この第４の鏡面Ｆ４によって第５の鏡面Ｆ５へ直接反射され、以下同様である。
【００４５】
よって、図２ａ，図２ｂに示されている偏向装置３においては、レーザビーム５の偏向は、レーザディスク２と、図示の実施例では隣り合って配置された鏡面Ｆ２，Ｆ３；Ｆ４，Ｆ５；Ｆ５，Ｆ６；・・・Ｆ３４，Ｆ３５の各対との間で交互に行われる。レーザディスク２と鏡面Ｆ２，Ｆ３；Ｆ４，Ｆ５；Ｆ５，Ｆ６；・・・Ｆ３４，Ｆ３５との間のレーザビーム５の光路、具体的にいうとＸＹ平面におけるその投影も、図２ａ，図２ｂに示されている。図２ａ，図２ｂに示されている実施例においては、各偏向装置３はそれぞれエンドミラー９を有し、エンドミラー９の鏡面Ｆ３６の向きは、レーザビーム５がディスク形のレーザ活性媒質２へ（すなわちそれ自体に）反射し戻されて、偏向装置３を通る光路を２回目は逆の伝搬方向で通過するように、当該エンドミラー９の鏡面Ｆ３６に入射するレーザビーム５に対して垂直にされている。もちろん、レーザビーム５が偏向装置３を再度通過することなくレーザビーム５をディスクレーザ増幅器１から出射させるために、エンドミラー９に代えて偏向装置３に他の貫通口を設けることができ、又はレーザビームをディスクレーザ増幅器１から出射させる偏向ミラーを設けることができる。
【００４６】
図２ａ，図２ｂに示されている偏向装置３の本質的な相違点は、図２ａに示されている偏向装置３ではミラー要素６は円形パターンに、具体的にいうと、プレート形の基体７のＺ方向に延在する中心軸１０まわりに同心で３つの円環形Ｒ１，Ｒ２，Ｒ３に配置されているのに対し、図２ｂに示されている偏向装置３ではミラー要素６は、プレート形の基体７の中心軸１０まわりに３つの同心で配置された正六角形Ｓ１，Ｓ２，Ｓ３に配置されていることである。図２ｂに示されている六角形パターンのミラー要素６の配置は、特にコンパクトである。
【００４７】
図２ａに示されている実施例においては、隣り合ったミラー要素６の鏡面Ｆ２，Ｆ３；Ｆ４，Ｆ５；Ｆ６，Ｆ７；・・・間の直接偏向は回転方向に、すなわち実質的にアジマス方向乃至周方向に行われる。環形領域Ｒ１，Ｒ２，Ｒ３間の切り替えのためにのみ、径方向に偏向が行われる。これに対して図２ｂに示されている偏向装置３においては、各２つの隣り合ったミラー要素６の鏡面Ｆ２，Ｆ３；Ｆ４，Ｆ５；Ｆ６，Ｆ７；・・・間の偏向はミラー要素６のうち半分より多くのミラー要素６において同一方向に、図示の実施例においては、Ｙ方向に行われ、特に、全部で３４個のミラー要素６のうちちょうど２８個において、かかる偏向が行われる。
【００４８】
もちろん、たとえば結像誤差の補正を最大限にするため、図２ａを参照して示した回転方向の偏向と、図２ｂに示されている共通のＹ方向での偏向とを、同一の偏向装置３に組み合わせることもできる。また、図２ｂに示されているミラー要素６の複数の六角形Ｓ１，Ｓ２，Ｓ３での配置の場合、実質的に回転方向での偏向を行うこともでき、図２ａに示されているミラー要素６の複数の円環形Ｒ１，Ｒ２，Ｒ３での配置の場合、実質的に１つの共通の方向においてなされる偏向を行うこともできる。
【００４９】
ディスクレーザ増幅器１の最大可能な安定性を保証するため、モノリシック構造技術による偏向装置３の製造時に、これとプレート形の基体７とを結合する際にミラー要素６乃至鏡面Ｆ２，Ｆ３・・・の動き自由度の数を最小にする。これについては以下詳細に説明する。
【００５０】
図３ａは、ミラー要素６のうち１つを例示しており、これは、中心軸１１に対して回転対称的に構成された球セグメントの形態の結合部分１２を有する。結合部分１２には、中心軸１１に沿った方向に円柱形の区間１３が接しており、この区間１３は、第１の完全円柱形の区間１３ａと、第２のプリズムの区間１３ｂとに分かれる。プリズムの区間１３ｂもその周囲に沿って円柱形であり、平坦な鏡面Ｆは、円柱形の区間１３の楕円形の面の形態の断面を成す。平坦な鏡面Ｆに代えて、集束作用又は集束ずれ作用を達成するため、場合によっては曲面の鏡面Ｆを使用すること、たとえば放物面状の曲面の鏡面Ｆを使用することもできることがある。
【００５１】
ミラー要素６の中心軸１１は、鏡面Ｆの中心点Ｍを通過する。レーザビーム５は鏡面Ｆに典型的にはセンタリングされて入射する。すなわち、レーザビーム５のビーム断面の中心は理想的には、鏡面Ｆの中心点Ｍと一致する。図示の実施例においては、鏡面Ｆの中心点Ｍは同時に、球屋根１４の曲率半径Ｒ（たとえば約１５ｍｍ）の中心点Ｍ、すなわち、ミラー要素６の結合部分１２の球面の表面の中心点Ｍでもあり、このことはアライメントに関して好適である（下記参照）。
【００５２】
鏡面Ｆの向きは、図示の実施例においては、結合部分１２の中心軸１１に対して４５°の角度αである。図１において分かるように、各鏡面Ｆ２，Ｆ３・・・へのレーザビーム５の入射角乃至反射角は、レーザディスク２を基準とする各ミラー要素６の位置に依存し、特に、偏向装置３の基体７の中心軸１１からの径方向距離に依存する。レーザビーム５が各鏡面Ｆ２，Ｆ３・・・における反射によって、レーザディスク２から又はレーザディスク２へ偏向されるのを保証するために好適なのは、結合部分１２の中心軸１１に対する鏡面Ｆ２，Ｆ３・・・の角度αを変えること、すなわち、結合部分１２の中心軸１１に対する鏡面Ｆ２，Ｆ３の角度αのみが相異なる複数の種類のミラー要素６を使用することである。
【００５３】
レーザビーム５は、通常は隣り合ったミラー要素６へ直接反射されることに基づき、４５°からの角度αの偏差は過度に大きく選択してはならない。典型的には、角度αは約３０°乃至約６０°の間、有利には３５°乃至５５°の間、特に４０°乃至５０°の間である。異なる角度αの数、ひいてはミラー要素６の異なる種類の数は、基体７のミラー要素６の配置と、ＸＹ平面におけるミラー要素６間の偏向の方向とに依存する。角度αの選択はまた、各結合部分１２の中心軸１１の向きがＸＹ平面に対して垂直であるか、又は場合によってはＸＹ平面に対して傾角であるかに依存する。これについては、以下詳細に説明する。
【００５４】
図３ｂ，図３ｃは、鏡面Ｆを有する図２ａ，図２ｂのエンドミラー９の構成の２例を示しており、鏡面Ｆの向きは、図３ｂに示されている実施例においては、球セグメント１２の中心軸１１に対して垂直すなわち９０°の角度αであり、それに対して図３ｃに示されている実施例においては、鏡面Ｆの向きは結合部分１２の中心軸１１に対して約８３°の角度αである。図３ｂ及び図３ｃのいずれにおいても、球セグメント１２の曲率半径Ｒは、鏡面Ｆの中心点Ｍが曲率半径Ｒの中心点Ｍと一致するように選択されている。これは、エンドミラー９のアライメントのために好適であるが（下記参照）、必ずしも必須というものではない。
【００５５】
鏡面Ｆは、図３ａ乃至図３ｃに示されている全ての各実施例においてポリッシュされており、高反射性のコーティングを有する。このコーティングはレーザビーム５に対して、理想的には約９９．９８％超の反射率を有する。図示の実施例においては、レーザビーム５は１０３０ｎｍの波長を有するが、もちろん、反射性コーティングを、他の波長のレーザビーム５にも対応した構成とし、又は、最適化することも可能である。反射性コーティングは、特に、レーザビーム５が４５°と異なる種々の入射角で入射することにより生じる、当該レーザビーム５の偏光状態の変化を補償するように構成することもできる。これに代えてかかる変化を、レーザビーム５の光路上に配置された位相シフト要素、たとえば１／４波長板及び／又は１／８波長板等によって生じる位相シフトによって、補償することもできる。
【００５６】
球セグメント１２の球屋根１４乃至球面の表面は、図４ａ乃至図４ｃに例示されているようなプレート形の基体７の凹部１６の周面１５への接触を改善するため、規定通りの粗さを有し、この粗さは典型的には僅かである。周面１５はこれら３つの実施例においては、周面１５の中心軸１７に対して放射対称的に構成されており、この中心軸１７は、同様に回転対称的な凹部１６の中心軸１７と一致する。図４ａ乃至図４ｃに示されている３つの実施例の相違点は、周面１５の湾曲の態様であり、図４ａに示されている実施例においては周面１５は円錐面であり、図４ｂに示されている実施例においては周面１５は球面であり、図４ｃに示されている実施例においては、周面１５はアキシコンの態様の自由形状面である。周面１５のこの種々の実施形態により、球屋根１４との所望の線接触乃至円接触を達成することができる。たとえば、図４ａに示されている円錐状の周面１５の開口角の選択、図４ｂに示されている球面の周面１５の半径の選択、乃至、図４ｃに示されている自由形状面の幾何形状の選択によって、Ｚ方向におけるどの高さで周面１５と球屋根１４との接触がなされるかを調整することができる。図４ａ乃至図４ｃにおいて分かるように、凹部１６はそれぞれ、周面１５に接する円柱形の区間１８を有し、この区間１８は、プレート形の基体７の、当該基体７の周面１５とは反対側の下面まで延在する。すなわち、凹部１６は基体７の貫通孔である。アライメントは基体７の上面からでも行うことができるので、凹部１６は必ずしも貫通孔であることを要しない。
【００５７】
貫通孔として構成された凹部１６を用いることにより、凹部１６に受容されるミラー要素６の向き調整乃至アライメントを、プレート形の基体７の下面から行うことができる。図５ａ，図５ｂは、吸引アーム２０を有するアライメント装置１９を例示しており、吸引アーム２０は、ミラー要素６、具体的にいうと球セグメントの形態の結合部分１２を、凹部１６の周面１５に対して所望の向きに調整するため、ジョイントを介して旋回可能な区間を有する。吸引アーム２０はこうするために、図５ｂにおいて力矢印によって示されているように、ミラー要素６に吸引力を加える。
【００５８】
図５ａにおいて分かるように、ミラー要素６のアライメントの際には、結合部分１２の中心軸１１と周面１５の中心軸１７乃至凹部１６の中心軸１７との間のＸＺ平面における傾角βｘを調整することができ、この傾角βｘは、図示の実施例においては約１０°を超えないが、場合によっては、これより大きくすることができることもある。傾角βｘはもちろん、図５ｂに示されているように０°付近とすることもできる。アライメントの際に傾角βｘを変化させる場合、鏡面Ｆの中心点Ｍと球セグメント１２の球屋根１４の曲率半径Ｒの中心点Ｍとを一致させることによって、アライメントの際にこの中心点Ｍが回転軸上にあり、これによって、中心点Ｍの横方向オフセットが生じないようにすることが好適である。アライメントを行うために、ＸＹ平面における傾角βｘの他にさらに、ＹＺ平面における（図示されていない）傾角βＹと、結合部分１２の中心軸１１まわりの（図示されていない）回転角とを調整することもできる。アライメントの際にミラー要素６を適切な向きにするためには、アライメントの際にレーザビーム５がレーザディスク２の中央に入射するようにミラー要素６を傾け、又は、回転して、レーザビーム５を光源から鏡面のうち２つＦ２，Ｆ３を介してレーザディスク２へ反射し戻すことができる。他のミラー要素６についても同様にアライメントを行うことができる。
【００５９】
たとえば吸引アーム２０等を用いてミラー要素６がプレート形の基体７に対して所望の相対的向き乃至相対姿勢に配置されると直ちに、このミラー要素６を基体７に永久結合することができる。こうするために図示の実施例においては、図５ａに示されているように、周面１５とミラー要素６との間の中間スペースに、接合材としての接着剤２１を挿入する。
【００６０】
基体７の材料及びミラー要素６の材料は双方とも、たとえばガラス又はガラスセラミックとすることができ、この材料は理想的には、レーザビーム５の波長に対して透過性乃至実質的に透過性である。基体７の材料とミラー要素６の材料とは、可能な限り類似する熱膨張係数を有するべきであり、たとえば、両材料の（長さ変化の場合の）熱膨張係数の差は２×１０−６ １／Ｋ未満とすることができる。よって、両材料の少なくとも８０重量％が同一の材料から構成されており、特に、完全同一の材料から構成されていると好適である。このことはたとえば、基体７がチタンドープされた石英ガラス（ＵＬＥ（登録商標））から構成されており、ミラー要素６が通常の石英ガラスから構成されている場合に該当する。これに代えて、基体７をガラスセラミックから、たとえばZerodur（登録商標）から構成し、ミラー要素６を石英ガラスから構成することもでき、又はその逆も可能である。これに代えて、基体７の材料と、場合によってはミラー要素６の材料も、金属材料とすることができ、たとえばインバー合金とすることができる。インバー合金から成る基体７は、ガラス又はガラスセラミックから成るミラー要素６に溶接することができ、また、たとえばはんだ付け又は接着等によって素材結合を行うこともできる。
【００６１】
特に、ガラスを含む材料乃至ガラスから成る材料を使用する場合には、ミラー要素６、具体的にいうと球セグメント１２の球屋根１４と、周面１５との間の素材結合は、他の接合材を用いて、たとえば（ガラス）はんだ材を用いて行うことができる。
【００６２】
素材結合に代えて、ミラー要素６を直接結合によって基体７に結合することもでき、たとえば（ガラス）溶接又はボンディングによって、すなわち典型的には、凹部１６の周面１５と球屋根１４との間に固定的な永久結合部が形成されるまで基体７とミラー要素６とを（場合によっては局所的に）加熱することにより、結合することもできる。
【００６３】
また図５ａ，図５ｂにおいては、図５ａに示されているミラー要素６では、鏡面Ｆは結合部分１２の中心軸１１に対して４５°未満の第１の角度α１の向きにされており、図５ｂに示されているミラー要素６では、鏡面Ｆは結合部分１２の中心軸１１に対して４５°超の第２の角度α２の向きにされていることも分かる。このようにして、ＸＹ平面乃至レーザディスク２に対する鏡面Ｆの相対的な向きを、傾角βｘ，βｙの選択の他にさらに調整することができる。このことは、特に、基体７の中心軸１１から比較的遠距離に配置されているミラー要素６であって、レーザビーム５の入射角及び反射角が通常は４５°から最も大きく偏差するミラー要素６の場合に好適である。傾角βｘ，βｙを調整することにより、ミラー要素６の向きの微調整アライメントを行うことができる。
【００６４】
典型的には、結合部分１２の中心軸の向きがｚ方向に対して平行である図５ｂに示されている実施例においては、結合部分１２の中心軸１１に対する第２の角度α２は４５°とは異なる。かかる場合、典型的には、ミラー要素６が同一の環形領域Ｒ１，Ｒ２，Ｒ３に配置されているので中心軸１１までの径方向距離が等しい（０ではない）全てのミラー要素６において、第２の角度α２は４５°より大きいか、又は４５°より小さい。複数の環形領域Ｒ１，Ｒ２，Ｒ３間での偏向の場合、たとえば第１の環形領域Ｒ１から第２の環形領域Ｒ２への偏向の場合にのみ、典型的には他方の方向への偏差（４５°未満又は４５°超）が生じる。
【００６５】
図６ａ，図６ｂは、平坦な底面２２を有する円柱形の結合部分１２をそれぞれ有するミラー要素６の、基体７への取付の例を示す。図６ａに示されている実施例においては、ミラー要素６は平坦な底面２２で、基体７のレーザディスク２側の面に取り付けられ、溶接接合によってこれに直接結合されているのに対し、図６ｂに示されている実施例においては、円柱形の結合部分１２は基体７の凹部１６に入れられており、この凹部１６は、段部を有する円柱形の周面１５を有し、この段部に結合部分１２の平坦な底面２２の外縁部が載置される。図６ａ，図６ｂに示されている実施例においては、円柱形の結合部分１２の中心軸１１の向きは常に、プレート形の基体７に対して垂直であり、図６ｂに示されている実施例においては凹部１６の中心軸１７と一致する。よって、図６ａ，図６ｂに示されている実施例においては傾角βの調整を行うことはできず、各ミラー要素６が基体７に永久結合される前に円柱形の結合部分１２の中心軸１１まわりの回転角を調整することしかできない。かかる場合、鏡面Ｆと結合部分１２の中心軸１１との間の適切な角度α１，α２は、ミラー要素６の作製時に既に定まる。
【００６６】
図６ｂに示されている実施例においては、ミラー要素６を凹部１６内で回転させることにより、中心軸１１まわりの回転角を調整することができる。図６ａに示されている実施例においてはこうするために、基体７の上面に、各ミラー要素６に対応する円形の貫通口を有する（図示されていない）ステンシルを載置することができる。かかる場合、ミラー要素６をこの貫通口内で各中心軸１１まわりに、所望の回転角に達するまで回転させることができる。また、ミラー要素６を自動的に機械によって所望の角度で基体７の上面に取り付けることも可能である。回転角の調整後、ミラー要素６をプレート形の基体７に素材結合又は直接結合することができる。場合によっては、たとえば接着剤等の接合材を回転角の調整前に既に、平坦な底面２２とプレート形の基体７の上面との間に挿入することができることもある。かかる場合には、接着剤が硬化するまでに各ミラー要素６の回転角の調整を完了しなければならない。もちろん、図６ｂに示されている実施例においては、円柱形の結合部分１２は必ずしも平坦な底面２２を有する必要はない。というのも、重要なことは、結合部分１２の外縁部の幾何形状のみだからである。もちろん、階段状の段部に代えて、場合によっては凹部１６に円錐状の段部を形成することも可能であり、かかる段部は、下面乃至縁部がこれに対応する形状であるミラー要素６に対する載置部として供される。
【００６７】
上記にて記載されている実施例においては、複数のミラー要素６は一体に構成されている。しかし、もちろん、複数のミラー要素６を複数部品で構成することも可能であり、その際には、ミラー要素６の複数の部品をモノリシックに接合する。すなわち、ミラー要素６の部品も互いに素材結合又は直接結合により結合する。たとえばかかる場合、ミラー要素６の結合部分１２と円柱形の区間１３とは２つの部品であり、これらを互いに素材結合又は直接結合することができる。
【００６８】
上記にて記載されている取付技術乃至固定技術を用いることにより、適切な基体７を使用して、少数の自由度でレーザディスク２に対する向きを調整することができる準モノリシックのミラーアレイを製造することができ、これによってディスクレーザ増幅器１の全体安定性が向上する。特に、その際には、約１０μｒａｄのオーダの精度でミラー要素６の高精度の向き調整を達成することができる。上記にて記載されている偏向技術により、必要な光学部品の数とレーザビーム５の光路の複雑性とを同時に最小限に低減することができる。使用される光学部品及び機械的部品を可能な限り少なくすることにより、ディスクレーザ増幅器１を低コストで、かつ、特にロバストに実現することができる。
【図１】
2019523555.tif 000003
【図２ａ】
2019523555.tif 000004
【図２ｂ】
2019523555.tif 000005
【図３ａ】
2019523555.tif 000006
【図３ｂ】
2019523555.tif 000007
【図３ｃ】
2019523555.tif 000008
【図４ａ】
2019523555.tif 000009
【図４ｂ】
2019523555.tif 000010
【図４ｃ】
2019523555.tif 000011
【図５ａ】
2019523555.tif 000012
【図５ｂ】
2019523555.tif 000013
【図６ａ】
2019523555.tif 000014
【図６ｂ】
2019523555.tif 000015
【国際調査報告】
2019523555.tif 000016
2019523555.tif 000017
2019523555.tif 000018
2019523555.tif 000019
2019523555.tif 000020
2019523555.tif 000021